(57)【要約】【課題】電機スイッチを迅速に結合するフレキシブルコントローラーの提供。【解決手段】フレキシブルコントローラーを結合したスイッチ組み立てセットはフレキシブル伝導線を連接する結合ユニットにより、スイッチの背後に迅速に結合し、スイッチは移動動作を生じ、伝導線を圧迫し、該伝導線内部の自在にスライド移動する芯線を経由しリモートエンドに伝達する。【選択図】図１
0003136718.tif 000002
【実用新案登録請求の範囲】
【請求項１】
電機スイッチを迅速に結合するフレキシブルコントローラーはフレキシブル伝導線を連接する結合ユニットにより、分解自在に電機スイッチの背後に結合し、該電機スイッチが生じる移動動作を該伝導線内部の自在にスライド移動する芯線を経由し伝達することを特徴とする電機スイッチを迅速に結合するフレキシブルコントローラー。
【請求項２】
請求項１記載の電機スイッチを迅速に結合するフレキシブルコントローラーにおいて、前記フレキシブルコントローラーを結合したスイッチ組み立てセットは伝導線、結合ユニットを含み、
該伝導線は少なくとも一個のスリーブを含み、該スリーブは第一端と第二端を具え、及び該スリーブ内において自在にスライド移動する芯線を具え、該芯線は該スリーブの該第一端と該第二端において露出し、
該結合ユニットの本体は結合組合せ部品を具え、分解自在に電機スイッチに結合し、該本体は該スリーブの該第一端を固定し、これにより該スリーブの該第一端において露出する芯線は電機スイッチが生じる移動動作を受けることを特徴とする電機スイッチを迅速に結合するフレキシブルコントローラー。
【請求項３】
請求項１記載の電機スイッチを迅速に結合するフレキシブルコントローラーにおいて、前記フレキシブルコントローラーを結合したスイッチ組み立てセットは伝導線、補助結合ユニット、結合ユニットを含み、
該伝導線は少なくとも一個のスリーブを含み、該スリーブは第一端と第二端を具え、及び該スリーブ内において自在にスライド移動する芯線を具え、該芯線は該スリーブの該第一端と該第二端において露出し、
該補助結合ユニットの本体は第一結合組合せ部品を具え分解自在に電機スイッチに結合し、及び少なくとも一個の第二結合組合せ部品を具え、
該結合ユニットの本体は結合組合せ部品を具え、分解自在に該補助結合ユニットの該第二結合組合せ部品に結合し、該結合ユニットの該本体は該スリーブの該第一端を固定し、これにより該スリーブの該第一端において露出する芯線は電機スイッチが生じる移動動作を受けることを特徴とする電機スイッチを迅速に結合するフレキシブルコントローラー。
【請求項４】
請求項１記載の電機スイッチを迅速に結合するフレキシブルコントローラーにおいて、前記芯線は硬質線、バネ線、或いはその他の位置エネルギーを伝達可能な適当な芯線の内の少なくとも一つで、該芯線の端部には押し片を設置し、さらには該押し片端にはより大きい或いはより長い補助押し片を増設することを特徴とする電機スイッチを迅速に結合するフレキシブルコントローラー。
【請求項５】
請求項１記載の電機スイッチを迅速に結合するフレキシブルコントローラーにおいて、該フレキシブルコントローラーはさらに電機スイッチを含み、該電機スイッチの機械動作は移動動作を生じ、且つ該フレキシブルコントローラーの該結合ユニットは分解自在に該電機スイッチに結合することを特徴とする電機スイッチを迅速に結合するフレキシブルコントローラー。
【請求項６】
請求項１記載の電機スイッチを迅速に結合するフレキシブルコントローラーにおいて、該フレキシブルコントローラーはさらにサポートフレームユニットを含み、そのサポートフレームユニットのサポートフレームは庭板と上板に結合し、その底板はコントロールしようとする電気標的物に固定接続し、その上板は該結合ヘッドと固定し、該フレキシブル伝導線のスリーブの該第二端の芯線は該結合ヘッド内に予め設置する孔を通過し、該電気標的物の被コントロール部分に対応することを特徴とする電機スイッチを迅速に結合するフレキシブルコントローラー。
【請求項７】
請求項６記載の電機スイッチを迅速に結合するフレキシブルコントローラーにおいて、該サポートフレームユニットのサポートフレームは該上板の高さ及びそのスイング角度を調整する機構を具えることを特徴とする電機スイッチを迅速に結合するフレキシブルコントローラー。
【考案の詳細な説明】
【技術分野】
【０００１】
本考案は一種の電機スイッチを迅速に結合するフレキシブルコントローラーである。特に一種の電機スイッチの背後に迅速に結合でき、該電機スイッチが生じる移動動作をフレキシブル伝導線内部を自在にスライド移動可能な芯線を通してリモートエンドの装置に伝達するフレキシブルコントローラーを結合したスイッチ組み立てセットとその電機製品上での応用に係る。
【背景技術】
【０００２】
電機設備においてなくてはならない電機部品は操作パネル上の電機スイッチにより直接コントロールすることが必要で、最も卑近な例では、モーター制御センター（MCC）トリップ動作スイッチのテスト作業である。公知の技術では、長柄を具えるボタンスイッチを特別に生産し、操作パネル上に装置する。押されるべき電機元件、操作パネル内の配電ボックス中に正確に装置されなければならず、さもなければスイッチが付帯する長柄を推動し、該電機元件を正確に押すことはできない。例えばノーヒューズブレーカー（No-Fuse Breaker， NFBと略称。別名Molded Case Circuit Breaker， MCCBと略称。或いは別名Mini- Circuit Breaker， MCBと略称）。
【０００３】
上記のように該各公知の技術は、長い間不正確さに影響を及ぼす素因と設置上の困難を抱えて来たため、配電盤の生産と設置は容易ではなかった。しかも使用中には配電盤の操作パネル上のスイッチの緩み、或いは配電盤の操作パネルが衝撃、震動を受ける等の素因により空間位置が変化し、電機スイッチのボタンに付帯する長柄に影響を及ぼし、電気標的物に照準を合わせることができなくなり、該長柄の電気標的物へのコントロール動作の失効を招いていた。
【考案の開示】
【考案が解決しようとする課題】
【０００４】
本考案の主要な目的は、構造は簡単で、生産は容易で、設置は便利でフレキシブルコントローラーを提供する。
【０００５】
本考案の次の目的は、電機スイッチを迅速に結合するフレキシブルコントローラーを提供し、直接従来の電機スイッチに結合して従来の電機スイッチを本考案の具える機能を持つ装置に変えるのである。
【０００６】
そのため、本考案は従来の電機スイッチを正確に電気標的物の被コントロール部分をコントロールする機能を促し、特に取り付け及び調整作業を易くすることができる。本考案のフレキシブルコントローラーは大多数の従来の電機スイッチに適用することができ、中央制御システムが遠距離においても一個または複数の電気標的物を制御することができる。
【課題を解決するための手段】
【０００７】
上述の目的を達成するため、本考案は電機スイッチを迅速に結合するフレキシブルコントローラー、公知のスイッチと特に電機スイッチの対応結合の設計概念を単純化する。本考案はフレキシブル伝導線を連接する結合ユニットにより、公知の電機スイッチの背後に簡単かつ迅速に結合可能で、電機スイッチが移動動作を生じ伝導線を圧触する時、該伝導線内部の自在にスライド移動可能な芯線により位置エネルギーを伝達し、遠距離にある物件、例えば電気標的物に対しての制御ことができる。
【０００８】
すなわち本考案電機スイッチを迅速に結合するフレキシブルコントローラーの最適実施例は伝導線、結合ユニットを含む。
該伝導線は少なくとも一個のスリーブを具える。該スリーブは第一端と第二端を具え、及び該スリーブ内において自在にスライド移動する芯線を具え、該芯線はスリーブの第一端と第二端において露出し、該第一端がコントロールを受けると、該第二端により位置エネルギーを標的物件に伝達し制御を達成する。前記結合ユニットの本体は結合組合せ部品を具え、分解自在に電機スイッチに結合する。該結合ユニットの本体はスリーブの第一端を固定し、これにより該スリーブの第一端において露出する芯線は電機スイッチが生じる移動動作を受け取ることができる。
【０００９】
別種の最適実施例では、本考案電機スイッチを迅速に結合するフレキシブルコントローラーは伝導線、結合ユニット、補助結合ユニットを含む。
該伝導線の構造は前記第一種実施例の説明の通りで、該補助結合ユニットの本体は第一結合組合せ部品を具え、分解自在に電機スイッチに結合する他に、別に少なくとも一個の第二結合組合せ部品を具え少なくとも一個の結合ユニットに結合する。すなわち、該結合ユニットの本体は結合組合せ部品を具え、分解自在に前記補助結合ユニットの第二結合組合せ部品に結合する。前記第一種実施例同様、該結合ユニットの本体はスリーブの第一端を固定し、これにより該スリーブの第一端において露出する芯線は電機スイッチが生じる移動動作を受け取ることができ、電機スイッチの移動エネルギーは、電気標的物の被コントロール部分等のリモートエンドの標的物件を正確にコントロールすることができる。本考案の典型的な用途は、電機スイッチが生じる移動動作が電気標的物のトリップ動作スイッチに伝達され、トリップ動作スイッチを作動させることである。
【００１０】
本考案は上記のどの種の方式により実施しようとも、前記装置はサポートフレームユニットを含み、コントロールしようとする電気標的物に固定接続し、また結合ヘッドを含み、該伝導線の第二端を該サポートフレームユニット上に結合する。
【００１１】
本考案前記のサポートフレームユニットの最適実施例はサポートフレームを含み、該サポートフレームの底板はコントロールしようとする電気標的物に固定接続し、しかも該結合ヘッドと固定する。上記フレキシブル伝導線のスリーブの該第二端の芯線は該結合ヘッド内に予め設置する孔を通過し、電気標的物の被コントロール部分に照準を合わせる。別種のより簡単な実施方式では、該サポートフレームユニットのサポートフレームはその他同等効果の方法を用い、電気標的物上に固定する。
【００１２】
本考案前記最適実施例中の芯線の最適例は硬質線、バネ線、或いはその他位置エネルギーを伝達可能な適当な芯線の内、少なくともその中の一つで、該芯線の端部には押し片を設置し、さらには該押し片端にはより大きい或いはより長い補助押し片を設置し、こうしてあるメーカーのノーヒューズブレーカーの異なる大きさの被コントロール部分に対してコントロールを可能とする。
【００１３】
該伝導線の最適例は湾曲可能なフレキシブル伝導線で、回転自在に可動設置する。摩擦阻害力を低下させ、より遠くの電気標的物を制御可能とするため、該伝導線のスリーブと該スリーブ内の芯線の間の最適例は中間層を含む。該中間層内部には管状通道を構成し、該芯線はその中においてスライド移動可能となる。さらに細部の設計では、該伝導線のスリーブ両端にはそれぞれ突縁を形成し、これにより該伝導線のスリーブ両端はそれぞれ回転自在に可動設置され、該伝導線のスリーブは固定されるが回転可能である。
【００１４】
該サポートフレームユニット細部の設計はサポートフレームを含み、該サポートフレームは底板と上板を具える。該底板はコントロールしようとする電気標的物に固定接続し、該上板は該フレキシブル伝導線のスリーブの第二端を固定し、該上板は該伝導線の芯線を通過させる孔を具え、該電気標的物の被コントロール部分に対応する。該サポートフレームユニットのサポートフレームは上板の高度とその揺動角度を調整可能な構成部品を具える。
【考案の効果】
【００１５】
本考案の機能と効果から生じる典型的な用途は、制御センターに比較的離れた位置において一個或いは多数の電気標的物を操作制御可能とする。特に、本考案の設計は公知の電機スイッチに利用可能で、これにより本考案の装置に簡単に改装造することができる。本考案のフレキシブルコントローラーの構造は、公知の移動エネルギーを生じることができるスイッチに迅速に結合可能で、特にこれにより電機スイッチは電気標的物を正確にコントロール可能となる。よって、設置時にスイッチにおいて煩雑な対応作業を不要としながら、電機部品のトリップ動作スイッチを制御することができ、設置とメンテナンス作業を単純化し、公知技術に存在した設置が困難という問題を解決することができる。本考案により、電機スイッチは距離を隔てながらも電気標的物を正確にコントロール可能となり、さらに制御センターはより離れた距離からも一個或いは多数の電気標的物を操作制御可能な電動装置を提供することができ、設置の利便性と弾力性を高め、より幅広い適用性を提供することができる。
【考案を実施するための最良の形態】
【００１６】
図１の最適実施例に示すように、本考案電機スイッチを迅速に結合するフレキシブルコントローラーは、内部に自在にスライド移動可能な芯線11を具える伝導線10により、操作パネル70上の電機スイッチ30はボタン31が生じる移動動作を電気標的物40の被コントロール部分41に伝達し、該電気標的物40は動作を生じる。該電気標的物40はノーヒューズブレーカー等で、その被コントロール部分41の最も典型的な例はトリップ動作スイッチである。こうして修復或いは検査中に、モーター制御センター（MCC）は距離を隔てても操作制御可能でトリップ動作を生じさせることができる。
【００１７】
図１に示すように、本考案のフレキシブルコントローラーの最適実施例は伝導線10と結合ユニット20を含む。
該伝導線10は少なくとも一個のスリーブ12を具え、該スリーブ12は第一端（図示中では上端）と第二端（図示中では下端）、及び該スリーブ12内において自在にスライド移動する芯線11を具える。該芯線11はスリーブ12の第一端と第二端において露出し、これにより該第一端の端頭110が電機スイッチ30のボタン31の駆動部品311によりコントロールされると、該芯線11を経て第二端の押し片14により位置エネルギーを標的物件に伝達する。電気標的物40はノーヒューズブレーカーの被コントロール部分41、又はトリップ動作スイッチで、制御の目的を達成する。言い換えれば、本考案の典型的な用途の一つは、該電機スイッチ30が生じる移動動作をノーヒューズブレーカーのトリップ動作スイッチに伝達し、これによりそのトリップ（TRIP）動作スイッチは電源を切断する。
前記結合ユニット20の本体21は結合組合せ部品22を具え、その最適例はプラスチック成型による弾性を具えるフランジを爪端とし、該電機スイッチ30下縁のフランジ33上に嵌合する。こうして該結合ユニット20は分解自在に電機スイッチ30に結合する。該結合ユニット20の本体21は該スリーブ12の第一端を固定し、これにより該スリーブ12の第一端において露出する芯線11の端頭110はボタン31の駆動部品311により圧迫コントロールされ、該芯線11は電機スイッチ30のボタン31が生じる移動動作を受ける。
【００１８】
別種の最適実施例である図２と図３に示すように、本考案のフレキシブルコントローラーは少なくとも一個の伝導線10、少なくとも一個の結合ユニット20、補助結合ユニット25を含む。
該伝導線10の構造は前記第一種実施例の説明の通りで、該補助結合ユニット25の本体26は第一結合組合せ部品27を具え（図３中の補助結合ユニット25の上端内縁に示す）、分解自在に電機スイッチ30に結合する他、別に少なくとも一個の第二結合組合せ部品28（図３中の補助結合ユニット25の下端外縁に示す）を具え、少なくとも一個の前記結合ユニット20を結合する。図２に示すように、該電機スイッチ30に結合する補助結合ユニット25は多数、或いは二個の結合ユニット20により組合され、該ボタン31の下端の駆動部品311は同時に二個の結合ユニット20内芯線11の端頭110を圧迫コントロールする。すなわち、該各結合ユニット20の本体21は結合組合せ部品22を具え、分解自在に前記補助結合ユニット25の第二結合組合せ部品28に結合する。前記第一種実施例同様に、該結合ユニット20の本体21は該スリーブ12の第一端を固定し、該スリーブ12の第一端において露出する芯線11は該電機スイッチ30が生じる移動動作を受けることができ、該電機スイッチ30の移動エネルギーはリモートエンドの標的物件を正確にコントロールする。電気標的物の典型的な例は、ノーヒューズブレーカーの被コントロール部分で、ノーヒューズブレーカーのトリップ動作スイッチ等である。
【００１９】
前記最適実施例は本考案フレキシブルコントローラーの説明であるが、製品型態から言えば、本考案は公知の電機スイッチと結合し組成品とすることができる。この時、本考案が組成する電機スイッチ30の組合せ部品を利用し、その空間構造型態は伝統的な電機スイッチ30のようであるが、その背部には少なくとも一組の電機スイッチにおいて迅速結合、分解が可能なフレキシブルコントローラーを具える。これにより該電機スイッチの機械動作は移動動作を生じ、少なくとも一個のフレキシブルコントローラー組合せ部品を具える。該各フレキシブルコントローラー組合せ部品は内部にスライド移動可能な芯線11を具える伝導線10を固定し、該芯線11は該電機スイッチ30内のボタン31により制御される。該伝導線10は少なくとも一個のスリーブ12と該スリーブ12内において自在にスライド移動可能な芯線11を具え、該芯線11は硬質線、バネ線、或いはその他位置エネルギーを伝達可能な適当な芯線で、最適例はバネワイヤー線である。該伝導線10の最適例は湾曲可能なフレキシブル伝導線で、最適例は該スリーブ12と該芯線11間にさらに中間層を含み、該中間層内部には管状通道を構成し、該芯線11はその中でスライド移動が可能である。
【００２０】
本考案は上記のどの種の方式を実施しようとも、その装置は図１に示すように、サポートフレームユニット50と結合ヘッド60を含む。
該サポートフレームユニット50はコントロールしようとする電気標的物に固定接続し、該結合ヘッド60は該伝導線10の第二端を該サポートフレームユニット50上に結合し、電気標的物40の被コントロール部分41に接近する。
前記伝導線10のスリーブ12両端にはそれぞれ突縁121と122を具える。内、該突縁121は回転自在に結合ユニット20内に可動設置されるため、該伝導線10のスリーブ12は該結合ユニット20と固定するが回転が可能である。また、該伝導線10の反対端の突縁122は結合ヘッド60内に結合し、該結合ヘッド60と固定するが回転が可能である。
該結合ヘッド60の本体上端には蓋板61を固定し、該伝導線10が蓋板61に予め設置する孔を通過後、ボルト62の後端を本体中に螺入し固定する。前方へと突出するボルト62は該サポートフレームユニット50の上板53に螺入後、ナット63により固定する。よって、該伝導線10のスリーブ12は該結合ヘッド60と固定するが回転が可能である。該スリーブ12の突縁122は該結合ヘッド60の本体内の孔中に保持され、つまり該結合ヘッド60の蓋板61とボルト62間において回転が可能である。該スリーブ12内の自在にスライド移動する芯線11は該ボルト62内に予め設置する孔を継続し通過し該ボルト62外に露出し、押し片14を結合する。これはすべて該結合ヘッド60と該スリーブ12の組合せの細部設計実施例である。
該伝導線10内部の芯線11下端に設置する押し片14はより大きい或いはより長い補助押し片13を増設することができ、これによりあるメーカーのノーヒューズブレーカーの異なる大きさの被コントロール部分41に対応可能となり、コントロールが有効となる。
【００２１】
前記サポートフレームユニット50はサポートフレーム51を含み、その底板52は該コントロールしようとする電気標的物40に固定接続し、さらには該電気標的物40上に直接固定することもできる。図示の実施例に示すように、その上板53は該フレキシブルの伝導線10のスリーブ12の第二端を固定し、該伝導線10を通過させる孔を具え、これにより該芯線11は該電気標的物40の被コントロール部分41に対応する。該サポートフレームユニット50のサポートフレーム51は該上板53の高度を調整するボルト等の構成部品と揺動角度と水平位置を調整するための設計部品、例えば、上板53上に長形孔である調整孔等を具える。こうして本考案は異なるメーカーの製品、異なる大きさの電気標的物に対応し設置することができる。
【図面の簡単な説明】
【００２２】
【図１】本考案フレキシブルコントローラーを結合したスイッチ組み立てセット最適実施例の平面断面概略図である。
【図２】本考案スイッチ組み立てセットの第二種最適実施例の平面組合せ概略図である。
【図３】図２のA-A線における断面図である。
【符号の説明】
【００２３】
10  伝導線
11  芯線
110  端頭
12スリーブ
13    補助押し片
14    押し片
121  突縁
122  突縁
20  結合ユニット
21  本体
22  結合組合せ部品
25  補助結合ユニット
26  本体
27  第一結合組合せ部品
28  第二結合組合せ部品
30  電機スイッチ
31  ボタン
33  フランジ
311  駆動部品
40  電気標的物
41  被コントロール部分
50  サポートフレームユニット
51  サポートフレーム
52  底板
53  上板
60  結合ヘッド
61  蓋板
62  ボルト
63  ナット
70  操作パネル
【図１】
0003136718.tif 000003
【図２】
0003136718.tif 000004
【図３】
0003136718.tif 000005
【手続補正書】
【提出日】平成19年9月5日(2007.9.5)
【手続補正１】
【補正対象書類名】実用新案登録請求の範囲
【補正対象項目名】全文
【補正方法】変更
【補正の内容】
【実用新案登録請求の範囲】
【請求項１】
フレキシブル伝導線を連接するコントローラー、電機スイッチ及び結合ユニットを含み、該伝導線は少なくとも一つのスリーブを含み、該スリーブは第一端と第二端、及び該スリーブ内において自在にスライド移動する芯線を具え、該芯線は該スリーブの該第一端と該第二端において露出し、該結合ユニットにより分解自在に該電機スイッチの背後に結合し、該電機スイッチが生じる移動動作を該伝導線内部の自在にスライド移動する該芯線を経由し伝達することを特徴とする電機スイッチを迅速に結合するフレキシブルコントローラー。
【請求項２】
請求項１記載の電機スイッチを迅速に結合するフレキシブルコントローラーにおいて、該結合ユニットの本体は結合組合せ部品を具え、分解自在に該電機スイッチに結合し、該本体は該スリーブの該第一端を固定し、これにより該スリーブの該第一端において露出する該芯線は該電機スイッチが生じる移動動作を受けることを特徴とする電機スイッチを迅速に結合するフレキシブルコントローラー。
【請求項３】
請求項１記載の電機スイッチを迅速に結合するフレキシブルコントローラーにおいて、更に一つ補助結合ユニットを含み、該補助結合ユニットの本体は第一結合組合せ部品及び少なくとも一つの第二結合組合せ部品を具え、該第一結合組合せ部品は分解自在に該電機スイッチに結合し、且つ該結合ユニットの本体は一つの結合組合せ部品を具え、分解自在に該補助結合ユニットの該第二結合ユニットに結合し、該結合ユニットの該本体は該スリーブの該第一端を固定し、並びに該スリーブにおいて露出する該第一端の該芯線は該電機スイッチが生じる移動動作を受けることを特徴とする電機スイッチを迅速に結合するフレキシブルコントローラー。
【請求項４】
請求項１記載の電機スイッチを迅速に結合するフレキシブルコントローラーにおいて、該芯線は硬質線、バネ線、或いはその他の位置エネルギーを伝達可能な適当な芯線の内の少なくとも一つで、該芯線の端部には押し片を設置し、さらには該押し片端にはより大きい或いはより長い補助押し片を増設することを特徴とする電機スイッチを迅速に結合するフレキシブルコントローラー。
【請求項５】
請求項１記載の電機スイッチを迅速に結合するフレキシブルコントローラーにおいて、該フレキシブルコントローラーはさらに電機スイッチを含み、該電機スイッチの機械動作は移動動作を生じ、且つ該フレキシブルコントローラーの該結合ユニットは分解自在に該電機スイッチに結合することを特徴とする電機スイッチを迅速に結合するフレキシブルコントローラー。
【請求項６】
請求項１記載の電機スイッチを迅速に結合するフレキシブルコントローラーにおいて、該フレキシブルコントローラーはさらにサポートフレームユニットを含み、そのサポートフレームユニットのサポートフレームは庭板と上板に結合し、その底板はコントロールしようとする電気標的物に固定接続し、その上板は該結合ヘッドと固定し、該フレキシブル伝導線のスリーブの該第二端の芯線は該結合ヘッド内に予め設置する孔を通過し、該電気標的物の被コントロール部分に対応することを特徴とする電機スイッチを迅速に結合するフレキシブルコントローラー。
【請求項７】
請求項６記載の電機スイッチを迅速に結合するフレキシブルコントローラーにおいて、該サポートフレームユニットのサポートフレームは該上板の高さ及びそのスイング角度を調整する機構を具えることを特徴とする電機スイッチを迅速に結合するフレキシブルコントローラー。